(57)【要約】【課題】ねじ軸に螺合するナットに対し、簡便な構造で制動力を与える。【解決手段】ねじ溝ｌａを形成したねじ軸１に、ねじ溝２ａを形成したナット２が、ねじ軸１とナット２の間に構成されるねじ溝１ａ、２ａ間に配列された多数の転動体である鋼球３を介して螺合され、ナット２にねじ軸１を挿通する略円筒状の制動ハウジング４が固定されている。制動ハウジング４の内部には、ねじ軸１のねじ溝ｌａに見合うねじ溝４ｂが形成されている。制動ハウジング４には長手方向に沿ってスリット４ｄが形成され、制動ハウジング４の外周部４ｅには環状溝４ｆが形成され、ばねリング６が装着されている。ばねリング６を環状溝４ｆに装着すると、その弾性力により制動ハウジング４をスリット４ｄを介して半径方向に縮径させ、ねじ溝ｌａにねじ溝４ｂを押し当てる。これにより、常時ねじ軸１に摩擦抵抗を付加させるので、ナット２の急激な落下を防止する。【選択図】        図２
2004353725.tif 000002
【特許請求の範囲】
【請求項１】
ねじ軸に螺合するナットの一端に、前記ねじ軸を覆う筒状の制動ハウジングを取り付け、該制動ハウジングの他端側から円周均等に分割する複数のスリットを長手方向に形成すると共に、該制動ハウジングの外径に環状溝を形成してばねリングを嵌合し、該ばねリングにより前記制動ハウジングを縮径する方向に付勢して前記ねじ軸を押圧することを特徴とする送りねじの制動装置。
【請求項２】
前記制動ハウジングは前記ナットに着脱自在に取り付けた請求項１に記載の送りねじの制動装置。
【請求項３】
前記制動ハウジングの内孔に前記ねじ軸のねじ溝の見合う形状のねじ孔を形成し、前記制動ハウジングは前記ねじ溝を押圧するようにした請求項１に記載の送りねじの制動装置。
【請求項４】
前記制動ハウジングに前記ねじ軸の外径に見合う内径の孔を形成し、前記制動ハウジングは前記ねじ軸の外径面を押圧するようにした請求項１に記載の送りねじの制動装置。
【請求項５】
前記ねじ軸とナットとの間のねじ溝間に多数の転動体を介在した請求項１に記載の送りねじの制動装置。
【発明の詳細な説明】
【０００１】
【発明の属する技術分野】
本発明は、産業機械、工作機械等における送り機構としてのボールねじに代表される送りねじに使用し、特に垂直に取り付けて使用する場合の送りねじの制動装置に関するものである。
【０００２】
【従来の技術】
送りねじの中で、特にボールねじを垂直に取り付けて使用する場合に、例えばボールねじナットに一体化したスライダを所定位置で停止させようとするか、或いは徐々に動かそうとすると、ねじ部に何らかの制動機構が必要となる。特に、螺合部分はころがり接触のため、確実な制動手段が必要となり、このような装置として、例えば特許文献１に示すような装置が知られている。
【０００３】
【特許文献１】
実開昭５９−１４４２５３号公報
【０００４】
【発明が解決しようとする課題】
特許文献１の例によると、ナットとねじ溝との間で相対的変位を係止する制動装置をナットに装着しており、軸方向に動作させてねじ溝に押圧係合させて制動作用をさせている。この場合に、ねじ軸のねじ溝に押圧する突出部を制動装置の内面側に形成しており、制動をかけると、当接する部分はねじ溝の一部分のみであり、偏磨耗を発生する虞れがあり、送りねじの制動装置の寿命が短い。
【０００５】
また軸方向の動作のため、突出部をリードに沿って設ける必要があり、軸方向に移動して制動作用をする際に、突出部全体でなく部分的にしか当接しないことがあり、そのため制動力が十分に発揮できない問題点がある。
【０００６】
本発明の目的は、上述の問題点を解決し、ねじ軸に螺合するナットに対し、簡便な構造で制動力を与えるねじの制動装置を提供することにある。
【０００７】
【課題を解決するための手段】
上記目的を達成するための本発明に係る送りねじの制動装置は、ねじ軸に螺合するナットの一端に、前記ねじ軸を覆う筒状の制動ハウジングを取り付け、該制動ハウジングの他端側から円周均等に分割する複数のスリットを長手方向に形成すると共に、該制動ハウジングの外径に環状溝を形成してばねリングを嵌合し、該ばねリングにより前記制動ハウジングを縮径する方向に付勢して前記ねじ軸を押圧することを特徴とする。
【０００８】
【発明の実施の形態】
本発明を図示の実施の形態に基づいて詳細に説明する。
図１は所謂ボールねじに適用した送りねじの制動装置の側面図、図２はナット、制動ハウジングの縦断面図、図３は制動ハウジングの端面図をそれぞれ示している。外周面に所定リードでねじ溝ｌａを形成したねじ軸１に、内周面にねじ溝２ａを形成したナット２が、ねじ軸１とナット２の間に構成されるねじ溝１ａ、２ａ間に配列された多数の転動体である鋼球３を介して螺合されている。更に、ナット２にはねじ軸１を挿通する略円筒状の制動ハウジング４が取り付けられている。
【０００９】
制動ハウジング４の上部はナット２に形成した取付孔２ｂに挿入され、ナット２の周囲の１個所に孔２ｃが形成され、ナット２側から取付ねじ５が制動ハウジング４に設けた穴４ａに挿入され、ナット２と制動ハウジング４とは一体化されている。
【００１０】
この制動ハウジング４の下端側から上方に向けて、ねじ軸１のねじ溝ｌａに見合うねじ溝４ｂが形成されており、ナット２への取付端面側には、ねじ溝４ｂよりも大径の大径孔４ｃが途中まで形成されている。更に制動ハウジング４には、下方から周囲を例えば８等分する形で８個のスリット４ｄが形成されており、スリット４ｄの長さはナット２への取付側の大径孔４ｃの中間位置まで長手方向に延在されている。そして、制動ハウジング４の外周部４ｅには、スリット４ｄの開口端側から所定の間隔で複数個の環状溝４ｆが形成されている。各環状溝４ｆには、断面円形のばねリング６が装着されている。
【００１１】
これらのばねリング６の内径は、制動ハウジング４の環状溝４ｆの内径寸法よりも小さく設定されており、環状溝４ｆに装着した際にその弾性力により付勢して、制動ハウジング４をスリット４ｄを介して半径方向に縮径させ、ねじ軸１のねじ溝ｌａに制動ハウジング４のねじ溝４ｂを押し当てることになる。
【００１２】
なお、制動ハウジング４は合成樹脂により製作することも可能であり、ばねリング６についても合成樹脂やゴム等でも可能であるが、金属線材をコイル状に巻回してリングに連結したものでも、同様に使用できる。
【００１３】
このような構成により、図示したように垂直状態で使用する状態で、制動ハウジング４は常時ばねリング６によりスリット４ｄを介してねじ軸１のねじ溝１ａに摩擦抵抗を付加させているので、ナット２の急激な落下を防止し、ナット２を徐々に下降させることが可能となる。
【００１４】
なお、実施の形態としてボールねじを説明したが、それに限らず台形ねじなどの作動ねじであれば、ボールねじに限定されることはない。また、ねじ軸１のねじ溝１ａにより制動作用を発生するようにしたが、ねじ軸１の外径面で制動作用をするようにしてもよい。ただし、その場合に制動ハウジング４の内径はねじ軸１の外径に見合う内径とする必要がある。
【００１５】
制動ハウジング４の外形は円筒形でも角筒形でもよく、またスリット４ｄの分割数は実施の形態に限定されず、その長さも制動ハウジング４を縮径し得る長さであれば支障はない。ばねリング６の装着個数については、図示の実施の形態では５個としたが、少なくとも１個あれば足り、それに合わせてハウジング４の環状溝４ｆの数を変更すればよい。
【００１６】
制動ハウジング４のナット２ヘの固定方法は、取付ねじ５による例を示したが、ナット２に対してピンで固定することも可能であり、また交換の必要がなければ一体化しても支障はない。実施の形態においては、制動ハウジング４をナット２の端部に取付ねじ５により固定する際に、取付ねじ５の先端が穴４ａに係合するようにしているが、この穴４ａについても単なる穴でなく、制動ハウジング４の外周に、ねじ軸１のねじ溝１ａのリードに沿った長溝を形成することにより、ねじ溝１ａに合わせた位置で固定することができる。
【００１７】
【発明の効果】
以上説明したように本発明に係る送りねじの制動装置は、次に列挙するような効果がある。
【００１８】
（１）部品点数が少なくコンパクトに構成でき、廉価型とすることができる。
【００１９】
（２）ばねリングの数を増減可能とすれば、制動力の調整が可能となるなどの実用性に優れている。
【００２０】
（３）制動ハウジングをナットから交換可能にすることにより、用途を広げることができる。
【図面の簡単な説明】
【図１】側面図である。
【図２】ナット、制動ハウジングの縦断面図である。
【図３】制動ハウジングの端面図である。
【符号の説明】
１  ねじ軸
１ａ  ねじ溝
２  ナット
２ａ  ねじ溝
３  鋼球
４  制動ハウジング
４ａ  穴
４ｂ  ねじ溝
４ｃ  大径孔
４ｄ  スリット
４ｅ  外周部
４ｆ  環状溝
５  取付ねじ
６  ばねリング
【図１】
2004353725.tif 000003
【図２】
2004353725.tif 000004
【図３】
2004353725.tif 000005